(57)【要約】【課題】  オスコネクタとの接合後、不意にはずれるリスクを低減したメスコネクタを提供する。【解決手段】  先端内面にルアーテーパー７、基端内面にチューブ接着部９および筒部外面に少なくともひとつの凸部３または凹部１１が形成された円筒状コア部材１と、外面にオスネジ８および筒部内面に前記凸部３または凹部１１に対応する円周状凹部４または円周状凸部１０を形成し、コア部材１の外周に固定されることなく装着された円筒状ハウジング２から構成されたメスコネクタであって、凹部４または凹部１１の軸方向の長さが、凸部３または凸部１０の軸方向の長さよりも大きいことを特徴とするメスコネクタ。【選択図】      図１
2005329040.tif 000002
【特許請求の範囲】
【請求項１】
先端内面にルアーテーパー、基端内面にチューブ接着部および筒部外面に少なくともひとつの凸部または凹部が形成された円筒状コア部材と、
外面にオスネジおよび筒部内面に前記凸部または凹部に対応する円周状凹部または円周状凸部を形成し、コア部材の外周に固定されることなく装着された円筒状ハウジングから構成されたメスコネクタであって、
前記コア部材またはハウジングに形成された凹部の軸方向の長さが、前記ハウジングまたはコア部材に形成された凸部の軸方向の長さよりも大きいことを特徴とするメスコネクタ。
【請求項２】
先端内面にルアーテーパー、基端内面にチューブ接着部および筒部外面に少なくともひとつの凸部を形成された円筒状コア部材と、
外面にオスネジおよび筒部内面に、前記凸部に対応する円周状凹部を形成し、コア部材の外周に固定されることなく装着された円筒状ハウジングから構成されたメスコネクタであって、
前記凹部の軸方向の長さＬ１が、凸部の軸方向の長さＬ２よりも大きいことを特徴とするメスコネクタ。
【請求項３】
先端内面にルアーテーパー、基端内面にチューブ接着部および筒部外面に少なくともひとつの円周状凹部を形成された円筒状コア部材と、
外面にオスネジおよび筒部内面に、前記凹部に対応する凸部を形成し、コア部材の外周に固定されることなく装着された円筒状ハウジングから構成されたメスコネクタであって、
前記凹部の軸方向の長さＬ３が凸部の軸方向の長さＬ４よりも大きいことを特徴とするメスコネクタ。
【請求項４】
前記凸部が円周状であることを特徴とする請求項１〜３のいずれかに記載のメスコネクタ。
【請求項５】
前記ハウジングは、外面に翼部を有することを特徴とする請求項１〜３のいずれかに記載のメスコネクタ。
【請求項６】
前記コア部材は軟質材料から形成され、かつ、ハウジングは硬質材料から形成されることを特徴とする請求項１〜３のいずれかに記載のメスコネクタ。
【請求項７】
前記ハウジング内面の凹部の軸方向の長さＬ１とコア部材外面の凸部の軸方向の長さＬ２との差は、オスネジの螺合距離よりも短いことを特徴とする請求項１または２記載のメスコネクタ。
【請求項８】
前記コア部材外面の凹部の軸方向の長さＬ３とハウジング内面の凸部の軸方向の長さＬ４との差は、オスネジの螺合距離よりも短いことを特徴とする請求項１または３記載のメスコネクタ。
【発明の詳細な説明】
【技術分野】
【０００１】
本発明は血液回路の各種チューブや、輸液または輸血用チューブ、各種カテーテルチューブなどの医療用流体誘導チューブの端部に設けられるメスコネクタに関するものであり、特に、オスコネクタとの接合後、不意にはずれるリスクを低減したメスコネクタに関する。
【背景技術】
【０００２】
前記医療用流体誘導チューブに設けられたメスコネクタは、他のチューブや機器類に設けられたオスコネクタと接続が可能になっている。メスコネクタ内面には規定のルアーテーパーが形成され、外面には規定のネジが形成されており、一方、オスコネクタは二重同心円筒形状で、内円筒の外面には規定のルアーテーパーが形成されており、外円筒の内面には規定のネジが形成されており、両コネクタのネジとルアーテーパーを嵌合させることにより、液密性や気密性を確保している。
【０００３】
従来、メスコネクタとオスコネクタを嵌合する際、メスコネクタを回転しながら挿入するため、メスコネクタに接着されたチューブがねじれて使用しにくいうえ、時には、ねじれたチューブの復元力によりオスコネクタとの嵌合がはずれるという問題があった。また、締め付け操作性向上のために設けられている翼部に、ネジをゆるめる方向に負荷がかかりネジがゆるんだ場合、ただちに液密性または気密性が損なわれるという問題もあった。
【０００４】
チューブねじれの問題を解決する手段として、コア部材とハウジング部材の２パーツに分け、互いに回転可能としたメスコネクタが既に開示されている（特許文献１および２）。これらにより嵌合時のチューブねじれは解消され、ねじれに起因するチューブ復元力により両コネクタの嵌合がはずれる危険性を低減することは可能となる。
【０００５】
【特許文献１】ＥＰ０７７５５０１Ｂ１
【特許文献２】特開平１１−３１３８９６号公報
【発明の開示】
【発明が解決しようとする課題】
【０００６】
しかしながら、上記構造では、ハウジングに設けられた翼部に嵌合をゆるめる負荷がかかるとただちに液密性または気密性が損なわれるという問題は解決しておらず、チューブはずれ防止対策としては不十分である。
【課題を解決するための手段】
【０００７】
本発明者らは前記問題点を鑑みて、鋭意研究を重ねた結果、コア部材と、コア部材の外周に装着されたハウジングからなるメスコネクタであって、コア部材の外面に形成された凸部の軸方向の長さより、ハウジングの内面に円周状に形成された凹部の軸方向の長さの方が大きいことを特徴とするメスコネクタが、チューブはずれ防止策として優れた効果を奏することを見出し、本発明に到達した。なお、コア部材外面の凸部とハウジング内面の凹部との組み合わせは、コア部材外面の凹部とハウジング内面の凸部との組み合わせに置き換えることが可能である。
【０００８】
すなわち、本発明は、先端内面にルアーテーパー、基端内面にチューブ接着部および筒部外面に少なくともひとつの凸部または凹部が形成された円筒状コア部材と、
外面にオスネジおよび筒部内面に前記凸部または凹部に対応する円周状凹部または円周状凸部を形成し、コア部材の外周に固定されることなく装着された円筒状ハウジングから構成されたメスコネクタであって、
前記コア部材またはハウジングに形成された凹部の軸方向の長さが、前記ハウジングまたはコア部材に形成された凸部の軸方向の長さよりも大きいことを特徴とするメスコネクタである。
【０００９】
本発明の一実施態様は、先端内面にルアーテーパー、基端内面にチューブ接着部および筒部外面に少なくともひとつの凸部を形成された円筒状コア部材と、
外面にオスネジおよび筒部内面に、前記凸部に対応する円周状凹部を形成し、コア部材の外周に固定されることなく装着された円筒状ハウジングから構成されたメスコネクタであって、
前記凹部の軸方向の長さＬ１が、凸部の軸方向の長さＬ２よりも大きいことを特徴とするメスコネクタである。
【００１０】
本発明の他の実施態様は、先端内面にルアーテーパー、基端内面にチューブ接着部および筒部外面に少なくともひとつの円周状凹部を形成された円筒状コア部材と、
外面にオスネジおよび筒部内面に、前記凹部に対応する凸部を形成し、コア部材の外周に固定されることなく装着された円筒状ハウジングから構成されたメスコネクタであって、
前記凹部の軸方向の長さＬ３が凸部の軸方向の長さＬ４よりも大きいことを特徴とするメスコネクタである。
【００１１】
本発明では、前記コア部材外面またはハウジング内面に形成された凸部は円周状であることが好ましい。また、前記ハウジングは、外面に翼部を有することが好ましい。
【００１２】
本発明では、前記コア部材は、通常、軟質材料から形成され、かつ、ハウジングは硬質材料から形成される。
【発明の効果】
【００１３】
本発明によれば、コア部材に対してハウジングが自在に回転可能となり、締め付け時の流体誘導チューブのねじれを回避でき、かつ、接続後にハウジングに不意にネジをゆるめる負荷がかかってもルアーテーパー部の嵌合は容易にはずれることがない。したがって、メスコネクタとオスコネクタとの嵌合がはずれる事故の発生をきわめて低減し、かつ、必要に応じて嵌合の解除が可能となる。
【発明を実施するための最良の形態】
【００１４】
次に図面を用いて、本発明のメスコネクタを詳細に説明する。
図１は本発明のメスコネクタの一実施形態を示す断面図である。図２は本発明のメスコネクタの他の実施形態を示す断面図である。図３は本発明のメスコネクタの他の実施形態を示す断面図である。また、図４は本発明のメスコネクタとオスコネクタの嵌合状態を示す断面図であり、図５は本発明のメスコネクタとオスコネクタの嵌合を解除する直前における状態を示す断面図である。
本発明のメスコネクタはコア部材１、コア部材１の外面に装着されたハウジング２から構成される。
【００１５】
コア部材１は円筒状であり、中央から先端部にかけて、例えば、６／１００などのルアーテーパー７が形成されている。コア部材１は、中央から基端部にかけて内面にチューブ接着部９を形成され、流体誘導チューブ５が接着固定される。
コア部材１および流体誘導チューブ５は、例えば、塩化ビニルやポリウレタン、ポリブタジエンなどの軟質材料が用いられる。
ルアーテーパー７は、挿入されたオスコネクターに形成されるオスルアーと接合する。
コア部材１の外面には少なくともひとつの凸部３が形成される。該凸部３は、コア部材１の外面に円周状に形成されていることが好ましい。
【００１６】
ハウジング２も円筒状であり、その前方外面にはオスネジ８が形成されている。該オスネジ８は、本発明のメスコネクタがオスコネクタと嵌合する際に、オスコネクタに形成されるメスネジと螺合する。またハウジング２は締め付け時の操作性を向上するため、外面に翼部６が形成されている。
ハウジング２は、コア部材１の外周に固定されることなく、同軸方向に装着される。
ハウジング２は、例えばポリプロピレンやポリカーボネートなどの硬質材料を使用するのが望ましい。
ハウジング２の内面には、前記コア部材１の凸部３に対応する円周状凹部４が形成される。
【００１７】
本発明では、ハウジング２の凹部４の軸方向の長さＬ１がコア部材１の凸部３の軸方向の長さＬ２よりも大きく、ハウジング２がコア部材１に対して回転可能であるのと同時に、軸方向にも移動可能であることが特徴である。
コア部材１の全長は、通常、１０〜６０ｍｍ、好ましくは、２０〜５０ｍｍである。ハウジング２の筒部の長さは、通常、１０〜６０ｍｍ、好ましくは、２０〜５０ｍｍである。コア部材１外面の凸部３の軸方向の長さＬ２は、通常、０．５〜１０mm、好ましくは１〜５mmである。ハウジング２内面の凹部４の軸方向の長さＬ１は、通常、１〜１５mm、好ましくは１〜７mmである。
【００１８】
コア部材１外面の凸部３の軸方向の長さＬ２とハウジング２内面の凹部４の軸方向の長さＬ１との差は、オスネジ８の螺合距離およびピッチを元に設定される。
Ｌ１とＬ２との差が小さすぎると、翼部６に螺合をゆるめる負荷がかかった場合、嵌合したルアーテーパー部が容易にはずれ、液密性または気密性が損なわれるおそれがある。Ｌ１とＬ２との差が大きすぎると、意図して嵌合をはずそうとした場合に、ハウジング２のオスネジ８とオスコネクタのメスネジがはずれるのみで、コア部材１のルアーテーパー７をオスコネクタのオスルアーからはずす力を加えることができない。
【００１９】
特に、本発明のメスコネクタはオスコネクタと嵌合した状態で、ハウジング２内面の凹部４の軸方向の長さＬ１とコア部材１外面の凸部３の軸方向の長さＬ２との差は、前記オスネジ８の螺合距離よりも短いことが好ましい。オスネジ８の螺合距離とは、オスネジ８の山とオスコネクタに形成されるメスネジの谷との螺合の開始位置から、螺合の終了位置までの軸方向直線距離を意味する。
【００２０】
本発明のメスコネクタの機構は、図４に示されるようにメスコネクタとオスコネクタを嵌合する際、ハウジング２の翼部６に力を加え、オスネジ８を締めることでハウジング２の凹部４の基端側（図４中、右側）の側面がコア部材１の凸部３の基端側の側面に接触し、コア部材１をオスコネクタの方へ押し込むことで、嵌合の程度が進行する。嵌合された状態のときに、不意にハウジング２のオスネジ８をゆるめるが力かかったとしても、図５に示されるように、凹部４の先端側（図４中、左側）の側面が凸部３の先端側の側面に接触するまで、ルアーテーパー７とオスルアーとの嵌合を解除する力がかからないため、コネクタはずれの事故を軽減できる。
【００２１】
コア部材１、ハウジング２は射出成型によりそれぞれ製造され、流体誘導チューブ５は押出成形により製造される。まず、コア部材１を加熱軟化させ、固定することなくハウジング２の内面に挿入する。その後、流体誘導チューブ５をコア部材１のチューブ接着部９に接着する。
【００２２】
また、図３に示されるように、コア部材１の先端部にフランジ１２が設けられていても良い。この場合、ハウジング２を、凹部４の基端側の側面がコア部材１の凸部３の基端側の側面に接触したときにハウジング２の先端が該フランジ１２に接触するような形状とすることにより、メスコネクタとオスコネクタの嵌合時に、コア部材１にオスコネクタの方へ押し込む力が伝わりやすく、容易にルアーテーパー部を嵌合できる。
【００２３】
以上、先端内面にルアーテーパー７、基端内面にチューブ接着部９および筒部外面に少なくともひとつの凸部３を形成された円筒状コア部材１と、外面にオスネジ８および筒部内面に、前記凸部３に対応する円周状凹部４を形成し、コア部材１の外周に固定されることなく装着された円筒状ハウジング２から構成されたメスコネクタについて、詳細に説明したが、図２に示されるように、凸部３に代えて円周状凹部１１を形成し、凸部３に対応する円周状凹部４に代えて、凹部１１に対応する凸部１０を形成し、凹部１１の軸方向の長さＬ３が凸部１０の軸方向の長さＬ４よりも大きいことを特徴とするメスコネクタも同様に、本発明の効果を奏することができる。
【図面の簡単な説明】
【００２４】
【図１】本発明のメスコネクタの一実施形態の断面図である。
【図２】本発明のメスコネクタの他の実施形態の断面図である。
【図３】本発明のメスコネクタの別な実施形態の断面図である。
【図４】本発明のメスコネクタとオスコネクタの嵌合状態を示す断面図である。
【図５】本発明のメスコネクタとオスコネクタの嵌合を解除する直前における状態を示す断面図である。
【符号の説明】
【００２５】
１  コア部材
２  ハウジング
３  凸部
４  凹部
５  流体誘導チューブ
６  翼部
７  ルアーテーパー
８  オスネジ部
９  チューブ接着部
１０  凸部
１１  凹部
１２  フランジ
【図１】
2005329040.tif 000003
【図２】
2005329040.tif 000004
【図３】
2005329040.tif 000005
【図４】
2005329040.tif 000006
【図５】
2005329040.tif 000007